(57)【要約】  本発明の実施形態は、電源アダプタとPLC端末とを統合できないという従来技術の欠点を克服して、リソースと空間を効果的に節約する電源アダプタを開示する。電源アダプタの一端は電力供給装置に接続するように構成され、電源アダプタの他端はネットワーク端末装置に接続するように構成されている。電源アダプタは、電源モジュールと、通信モジュールと、接続モジュールとを含む。電源モジュールは、通信モジュールと接続モジュールの両方に接続され、電力供給装置から電気エネルギーを得て通信モジュールと接続モジュールに電力を供給するように構成されている。通信モジュールは、接続モジュールに接続され、接続モジュールを用いてネットワーク端末装置と通信するように構成されている。接続モジュールは、ネットワーク端末装置に接続し、通信モジュールとネットワーク端末装置との間で信号を伝送するように構成されている。
2019501624.tif 000002
【特許請求の範囲】
【請求項１】
電源アダプタであって、前記電源アダプタの一端が電力供給装置に接続するように構成され、前記電源アダプタの他端がネットワーク端末装置に接続するように構成され、前記電源アダプタは、
電源モジュールと、通信モジュールと、接続モジュールと
を備え、
前記電源モジュールは、前記通信モジュールと前記接続モジュールとの両方に接続され、前記電力供給装置から電気エネルギーを得て、前記通信モジュールおよび前記接続モジュールに電力を供給するように構成され、
前記通信モジュールは、前記接続モジュールに接続され、前記接続モジュールを用いて前記ネットワーク端末装置と通信するように構成され、
前記接続モジュールは、前記ネットワーク端末装置に接続し、前記通信モジュールと前記ネットワーク端末装置との間で信号を伝送するように構成される、
電源アダプタ。
【請求項２】
前記通信モジュールが、ソフトウェア制御プログラムを実行するようにさらに構成され、前記ソフトウェア制御プログラムは、前記通信モジュールが前記ネットワーク端末装置と通信するのを支援するために使用される、
請求項1に記載の電源アダプタ。
【請求項３】
前記接続モジュールが、第1の端末グループと、第2の端末グループと、第3の端末とを備え、
前記第1の端末グループは、前記ネットワーク端末装置の第1のジャックグループに接続し、前記通信モジュールによって送信された第1の信号を前記ネットワーク端末装置に伝送するように構成され、前記第1の端末グループは少なくとも1つの第1の端末を備え、
前記第2の端末グループは、前記ネットワーク端末装置の第2のジャックグループに接続し、前記ネットワーク端末装置によって送信された第2の信号を前記通信モジュールに伝送するように構成され、前記第2の端末グループは少なくとも1つの第2の端末を備え、
前記第3の端末は、前記ネットワーク端末装置の第3のジャックに接続し、前記電源モジュールの前記電気エネルギーを前記ネットワーク端末装置に伝送するように構成される、
請求項1に記載の電源アダプタ。
【請求項４】
前記第1の端末、前記第2の端末、および前記第3の端末が、ピン状、シート状、または柱状である、請求項3に記載の電源アダプタ。
【請求項５】
前記接続モジュールが、
第4の端末グループと、第5の端末と
を備え、
前記第4の端末グループは、前記ネットワーク端末装置の第4のジャックグループに接続し、前記通信モジュールによって送信された第1の信号を前記ネットワーク端末装置に伝送し、かつ／または前記ネットワーク端末装置によって送信された第2の信号を前記通信モジュールに伝送するように構成され、前記第4の端末グループは少なくとも1つの第4の端末を備え、
前記第5の端末は、前記ネットワーク端末装置の第5のジャックに接続し、前記電源モジュールの前記電気エネルギーを前記ネットワーク端末装置に伝送するように構成される、
請求項1に記載の電源アダプタ。
【請求項６】
前記第4の端末および前記第5の端末が、ピン状、シート状、または柱状である、請求項5に記載の電源アダプタ。
【請求項７】
前記接続モジュールが、
第6の端末
を備え、
前記第6の端末は、前記ネットワーク端末装置の第6のジャックに接続し、前記通信モジュールによって送信された第1の信号を前記ネットワーク端末装置に伝送し、かつ／または前記ネットワーク端末装置によって送信された第2の信号を前記通信モジュールに伝送するように構成され、
前記第6の端末は、前記電源モジュールの前記電気エネルギーを前記ネットワーク端末装置に伝送するようにさらに構成される、
請求項1に記載の電源アダプタ。
【請求項８】
前記第6の端末が、ピン状、シート状、または柱状である、請求項7に記載の電源アダプタ。
【請求項９】
電源アダプタと共に使用されるソケットであって、前記ソケットはネットワーク端末装置に適用され、前記電源アダプタは、電源モジュール、通信モジュール、および接続モジュールを備え、前記電源アダプタは前記ネットワーク端末装置に接続するように構成され、前記ソケットは、
第1のジャックグループと、第2のジャックグループと、第3のジャックと
を備え、
前記第1のジャックグループは、前記接続モジュールの第1の端末グループに接続し、前記通信モジュールによって送信された第1の信号を前記ネットワーク端末装置に伝送するように構成され、前記第1のジャックグループは少なくとも1つの第1のジャックを備え、前記第2のジャックグループは、前記接続モジュールの第2の端末グループに接続し、前記ネットワーク端末装置によって送信された第2の信号を前記通信モジュールに伝送するように構成され、前記第2のジャックグループは少なくとも1つの第2のジャックを備え、前記第3のジャックは、前記接続モジュールの第3の端末に接続し、前記電源モジュールの電気エネルギーを前記ネットワーク端末装置に伝送するように構成されるか、
または、前記ソケットは、第4のジャックグループと第5のジャックとを備え、
前記第4のジャックグループは、前記接続モジュールの第4の端末グループに接続し、前記通信モジュールによって送信された第1の信号を前記ネットワーク端末装置に伝送し、かつ／または前記ネットワーク端末装置によって送信された第2の信号を前記通信モジュールに伝送するように構成され、前記第4のジャックグループは少なくとも1つの第4のジャックを備え、前記第5のジャックグループは、前記接続モジュールの第5の端末に接続し、前記電源モジュールの電気エネルギーを前記ネットワーク端末装置に伝送するように構成されるか、
または、前記ソケットは第6のジャックを備え、
前記第6のジャックは、前記接続モジュールの第6の端末に接続し、前記通信モジュールによって送信された第1の信号を前記ネットワーク端末装置に伝送し、かつ／または前記ネットワーク端末装置によって送信された第2の信号を前記通信モジュールに伝送するように構成され、前記第6のジャックは、前記電源モジュールの電気エネルギーを前記ネットワーク端末装置に伝送するようにさらに構成される、
ソケット。
【請求項１０】
電源アダプタとソケットと
を備え、
前記電源アダプタは、請求項1から8のいずれか一項に記載の電源アダプタであり、
前記ソケットは請求項9に記載のソケットである、
電源アダプタアセンブリ。
【発明の詳細な説明】
【技術分野】
【０００１】
本発明は、通信技術の分野に関し、具体的には、電源アダプタ、ソケット、およびアセンブリに関する。
【背景技術】
【０００２】
電子技術の発展に伴って、電源アダプタは、ツインハンドセット電話、ゲーム機、言語リピータ、ウォークマン(登録商標)、ノートブックコンピュータ、携帯電話などのネットワーク端末装置と共に広く使用されている。電源アダプタは、一般に、ネットワーク端末装置に電力を供給するように構成されている。
【０００３】
図1に示すように、図1は、電力線通信（Power Line Communication、略してPLC）ネットワーキング図である。電源アダプタと電力線通信モデムはそれぞれ1つのメインソケットを占有していることが分かる。地方自治体の電力網から各電子端末に分配される電力供給は、集合的に本線供給と呼ばれる。メインソケットの電圧は、通常、単相220V電圧または三相380V電圧である。PLC端末（すなわち、電力線通信モデム）は、ネットワークケーブルを使用してルータに接続され、電源アダプタは、電力ケーブルを使用してルータに接続される。ルータ上では、電力線通信モデムおよび電源アダプタに接続するためのインタフェースが提供される。
【０００４】
電源アダプタとPLC端末を同時に使用する場合は、少なくとも2つのメインソケットと2本のケーブルが必要であることが分かる。これは空間とリソースを無駄にし、それによって居住環境に影響を与える。
【発明の概要】
【０００５】
本発明は、電源アダプタとPLC端末とを一体化することができないという従来技術の欠点を克服して、リソースと空間を有効に節約するために、電源アダプタ、ソケット、およびアセンブリを提供することを目的とする。
【課題を解決するための手段】
【０００６】
本発明の第1の態様によれば、電源アダプタが提供され、電源アダプタの一端が電力供給装置に接続するように構成され、電源アダプタの他端がネットワーク端末装置に接続するように構成され、電源アダプタは、
電源モジュールと、通信モジュールと、接続モジュールと
を備え、
電源モジュールは、通信モジュールと接続モジュールとの両方に接続され、電力供給装置から電気エネルギーを得て、通信モジュールおよび接続モジュールに電力を供給するように構成され、
通信モジュールは、接続モジュールに接続され、接続モジュールを用いてネットワーク端末装置と通信するように構成され、
接続モジュールは、ネットワーク端末装置に接続し、通信モジュールとネットワーク端末装置との間で信号を伝送するように構成される。
【０００７】
なお、電源モジュール、通信モジュール、および接続モジュールは、一般に、バスを用いて互いに接続されている。本明細書では特に限定されない。
【０００８】
本発明では、従来技術とは異なり、電源アダプタは通信モジュールを含み、通信モジュールは、接続モジュールを用いてネットワーク端末装置と通信し、電源アダプタをよりインテリジェントにする。例えば、ユーザは、PLC端末を使用してネットワークに接続する必要なく、電源アダプタをルータに直接接続することで電力線を使用してネットワークにアクセスすることができる。ユーザにとって、ユーザは認識していなくても効率的な通信利益を得ることができる。
【０００９】
第1の態様に関して、いくつかの可能な実装形態では、接続モジュールは、第1の端末グループと、第2の端末グループと、第3の端末とを備え、
第1の端末グループは、ネットワーク端末装置の第1のジャックグループに接続し、通信モジュールによって送信された第1の信号をネットワーク端末装置に伝送するように構成され、第1の端末グループは少なくとも1つの第1の端末を備え、
第2の端末グループは、ネットワーク端末装置の第2のジャックグループに接続し、ネットワーク端末装置によって送信された第2の信号を通信モジュールに伝送するように構成され、第2の端末グループは少なくとも1つの第2の端末を備え、
第3の端末は、ネットワーク端末装置の第3のジャックに接続し、電源モジュールの電気エネルギーをネットワーク端末装置に伝送するように構成される。
【００１０】
接続モジュールには、3種類の端末が含まれていることが分かる。第1の端末は、通信モジュールによって送信された第1の信号をネットワーク端末装置に伝送する。第2の端末は、ネットワーク端末装置によって送信された第2の信号を通信モジュールに伝送する。第3の端末は、電源モジュールの電気エネルギーをネットワーク端末装置に伝送する。各種端末が独自の機能を実装し、信号干渉は発生しないことが分かる。さらに、第1の端末は、第2の端末が信号を受信するのと同時に信号を送信することができ、それによって信号伝送効率を効果的に改善する。なお、第1の信号および第2の信号は、主にインターネットプロトコル（Internet Protocol、略してIP）パケットデータ信号であり、本明細書では特に限定されない。
【００１１】
他のいくつかの可能な実装形態では、接続モジュールは、
第4の端末グループと、第5の端末と
を備え、
第4の端末グループは、ネットワーク端末装置の第4のジャックグループに接続し、通信モジュールによって送信された第1の信号をネットワーク端末装置に伝送し、かつ／またはネットワーク端末装置によって送信された第2の信号を通信モジュールに伝送するように構成され、第4の端末グループは少なくとも1つの第4の端末を備え、
第5の端末は、ネットワーク端末装置の第5のジャックに接続し、電源モジュールの電気エネルギーをネットワーク端末装置に伝送するように構成される。
【００１２】
接続モジュールには、2種類の端末が含まれることが分かる。第4の端末は、通信モジュールによって送信された第1の信号をネットワーク端末装置に伝送し、かつ／またはネットワーク端末装置によって送信された第2の信号を通信モジュールに伝送する。第5の端末は、電源モジュールの電気エネルギーをネットワーク端末装置に伝送する。第4の端末は、信号送信機能と信号受信機能の両方を有することにより、電源アダプタの空間リソースを効果的に節約することが分かる。
【００１３】
他のいくつかの可能な実装形態では、接続モジュールは、
第6の端末
を備え、
第6の端末は、ネットワーク端末装置の第6のジャックに接続し、通信モジュールによって送信された第1の信号をネットワーク端末装置に伝送し、かつ／またはネットワーク端末装置によって送信された第2の信号を通信モジュールに伝送するように構成され、
第6の端末は、電源モジュールの電気エネルギーをネットワーク端末装置に伝送するようにさらに構成される。
【００１４】
接続モジュールには、第6の端末が含まれることが分かる。第6の端末は、通信モジュールによって送信された第1の信号をネットワーク端末装置に伝送し、かつ／またはネットワーク端末装置によって送信された第2の信号を通信モジュールに伝送する。第6の端末は、電源モジュールの電気エネルギーをネットワーク端末装置に伝送するようにさらに構成される。第6の端末が複数の機能を統合することにより、電源アダプタの空間リソースを効果的に節約することが分かる。
【００１５】
本発明の第2の態様によれば、電源アダプタと共に使用されるソケットが提供され、電源アダプタは、電源モジュールと、通信モジュールと、接続モジュールとを備え、電源アダプタはネットワーク端末装置に接続するように構成され、ソケットはネットワーク端末装置に適用され、ソケットは、
第1のジャックグループと、第2のジャックグループと、第3のジャックと
を備え、
第1のジャックグループは、接続モジュールの第1の端末グループに接続し、通信モジュールによって送信された第1の信号をネットワーク端末装置に伝送するように構成され、第1のジャックグループは少なくとも1つの第1のジャックを備え、第2のジャックグループは、接続モジュールの第2の端末グループに接続し、ネットワーク端末装置によって送信された第2の信号を通信モジュールに伝送するように構成され、第2のジャックグループは少なくとも1つの第2のジャックを備え、第3のジャックは、接続モジュールの第3の端末に接続し、電源モジュールの電気エネルギーをネットワーク端末装置に伝送するように構成される。
【００１６】
ソケットには3種類のジャックが含まれていることが分かる。第1のジャックは、通信モジュールによって送信された第1の信号をネットワーク端末装置に伝送する。第2のジャックは、ネットワーク端末装置によって送信された第2の信号を通信モジュールに伝送する。第3のジャックは、電源モジュールの電気エネルギーをネットワーク端末装置に伝送する。各種ジャックが独自の機能を実装し、信号干渉は発生しないことが分かる。さらに、第1のジャックは、第2のジャックが信号を受信するのと同時に信号を送信することができ、それによって信号伝送効率を効果的に改善する。なお、第1の信号および第2の信号は、主にIPパケットデータ信号であり、本明細書では特に限定されない。
【００１７】
あるいは、ソケットは、第4のジャックグループと第5のジャックとを備え、
第4のジャックグループは、接続モジュールの第4の端末グループに接続し、通信モジュールによって送信された第1の信号をネットワーク端末装置に伝送し、かつ／またはネットワーク端末装置によって送信された第2の信号を通信モジュールに伝送するように構成され、第4のジャックグループは少なくとも1つの第4のジャックを備え、第5のジャックグループは、接続モジュールの第5の端末に接続し、電源モジュールの電気エネルギーをネットワーク端末装置に伝送するように構成される。
【００１８】
ソケットには2種類のジャックが含まれていることが分かる。第4のジャックは、通信モジュールによって送信された第1の信号をネットワーク端末装置に伝送し、かつ／またはネットワーク端末装置によって送信された第2の信号を通信モジュールに伝送する。第5のジャックは、電源モジュールの電気エネルギーをネットワーク端末装置に伝送する。第4のジャックは、信号送信機能と信号受信機能の両方を有することにより、電源アダプタの空間リソースを効果的に節約することが分かる。
【００１９】
あるいは、ソケットは第6のジャックを備え、
第6のジャックは、接続モジュールの第6の端末に接続し、通信モジュールによって送信された第1の信号をネットワーク端末装置に伝送し、かつ／またはネットワーク端末装置によって送信された第2の信号を通信モジュールに伝送するように構成され、第6のジャックは、電源モジュールの電気エネルギーをネットワーク端末装置に伝送するようにさらに構成される。
【００２０】
ソケットには1種類のジャックが含まれていることが分かる。第6のジャックは、通信モジュールによって送信された第1の信号をネットワーク端末装置に伝送し、かつ／またはネットワーク端末装置によって送信された第2の信号を通信モジュールに伝送する。第6のジャックは、電源モジュールの電気エネルギーをネットワーク端末装置に伝送するようにさらに構成される。第6のジャックが複数の機能を統合することにより、電源アダプタの空間リソースを効果的に節約することが分かる。
【００２１】
本発明の第3の態様によれば、電源アダプタアセンブリが提供され、電源アダプタアセンブリは、
電源アダプタとソケットと
を備え、
電源アダプタは、第1の態様すなわち第1の態様の可能な実装形態のいずれかによる電源アダプタであり、
ソケットは第2の態様によるソケットである。
【００２２】
電源アダプタとソケットが共に使用されていることが分かり、電源アダプタは電力供給と通信の2つの機能を統合し、ソケットと電源アダプタを接続して使用することにより、電源アダプタの空間リソースを効果的に節約し、電源アダプタをよりインテリジェントにする。例えば、ユーザは、PLC端末を使用してネットワークに接続する必要なく、電源アダプタをルータに直接接続することで電力線を使用してネットワークにアクセスすることができる。ユーザにとって、ユーザは認識していなくても効率的な通信利益を得ることができる。
【図面の簡単な説明】
【００２３】
【図１】従来技術のPLCネットワークの概略構成図である。
【図２】本発明の一実施形態による電源アダプタと合致する端末装置の概略構成図である。
【図３ａ】従来技術の電源アダプタの接続モジュールの概略構成図である。
【図３ｂ】従来技術のソケットの概略構成図である。
【図３ｃ】従来技術の電源アダプタとソケットが共に使用されることを示す概略構成図である。
【図３ｄ】本発明の一実施形態によるPLCネットワークの概略構成図である。
【図４】本発明の一実施形態による電源アダプタの概略構成図である。
【図５ａ】本発明の一実施形態による電源アダプタの接続モジュールの概略構成図である。
【図５ｂ】本発明の一実施形態による電源アダプタの接続モジュールの別の概略構成図である。
【図５ｃ】本発明の一実施形態による電源アダプタの接続モジュールのさらに別の概略構成図である。
【図５ｄ】本発明の一実施形態による電源アダプタの接続モジュールのさらに別の概略構成図である。
【図６ａ】本発明の一実施形態によるソケットの概略構成図である。
【図６ｂ】本発明の一実施形態によるソケットの別の概略構成図である。
【図６ｃ】本発明の一実施形態によるソケットのさらに別の概略構成図である。
【図６ｄ】本発明の一実施形態によるソケットのさらに別の概略構成図である。
【図７】本発明の一実施形態による電源アダプタアセンブリの概略構成図である。
【図８】本発明の一実施形態による電源アダプタアセンブリのアプリケーションシナリオの概略構成図である。
【発明を実施するための形態】
【００２４】
本発明は、電源アダプタとPLC端末とを一体化することができないという従来技術の欠点を克服して、リソースと空間を有効に節約するために、電源アダプタ、ソケット、およびアセンブリを提供することを目的とする。
【００２５】
本発明の実施形態における技術的解決策を、本発明の実施形態における添付図面を参照して、明確かつ完全に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【００２６】
本発明の明細書、特許請求の範囲、および添付図面において、「第1」、「第2」、「第3」、「第4」等の用語は異なるオブジェクトを区別することを意図しているが、特定の順序を示すものではない。さらに、「含む（including）」、「備える（comprising）」、またはその他の任意の変形は、非排他的な包含をカバーすることが意図される。例えば、一連のステップまたはユニットを含むプロセス、方法、システム、製品、または装置は、リストされたステップまたはユニットに限定されず、オプションとして、リストされていないステップまたはユニットをさらに含むか、またはプロセス、方法、製品、または装置の別の固有のステップまたはユニットをさらに含む。
【００２７】
本発明の電源アダプタは、任意のネットワーク端末装置に適用される。図1に示すように、ネットワーク端末装置200は、通信ユニット201と、入力ユニット202と、出力ユニット203と、プロセッサ204と、記憶ユニット205と、外部インタフェース206とを備える。ユニットは、1つまたは複数のバスを使用して相互に接続されている。通信ユニット201は、通信チャネルを確立するように構成されており、ネットワーク端末装置は、通信チャネルを用いて、遠隔電子装置やサーバと音声通信、テキスト通信、データ通信等を行う。入力ユニット202は、ユーザとネットワーク端末装置との間のインタラクションを実施し、かつ／または端末装置への情報を入力するように構成されている。プロセッサ204は、ネットワーク端末装置の制御センタであり、端末装置全体のすべての部分に接続するために、様々なインタフェースおよび回線を使用する。プロセッサ204は、記憶ユニットに格納されたソフトウェアプログラムおよび／またはモジュールを実行し、記憶ユニットに格納されたデータを呼び出すことによって、端末装置の機能および／またはデータ処理を実施する。出力ユニット203は、プロセッサによって出力されたオーディオ信号をデジタルフォーマットからアナログフォーマットに変換するように構成された音声出力ユニットを含むが、これに限定されない。記憶ユニット205は、ソフトウェアプログラムおよびモジュールを格納するように構成されていてもよい。外部インタフェース206は、遠隔電子装置またはサーバに接続するように構成されている。
【００２８】
当業者は、図2に示すネットワーク端末装置の構成が本発明を限定するものではないことを理解されよう。ネットワーク端末装置は、バス構造のものであってもよいし、スター構造のものであってもよいし、図に示すものよりも多くのまたはより少ない構成要素や、いくつかの構成要素の組み合わせや、異なる方法で配置された構成要素をさらに含んでいてもよい。本発明の実装形態におけるネットワーク端末装置は、携帯電話、モバイルコンピュータ、タブレットコンピュータ、パーソナルデジタルアシスタント（Personal Digital Assistant、略してPDA）、メディアプレーヤ、スマートTV、ウェアラブル装置（例えば、スマートウォッチまたはスマートグラス）、またはそれらの2つ以上の組み合わせなどを含むが、これに限定されない。
【００２９】
本発明の実施形態を説明する前に、本発明のアプリケーションシナリオを、一般に、電源アダプタが、ネットワーク端末装置に電力を供給するようにのみ構成されているものとして以下に説明する。電源アダプタは、電源アダプタの接続モジュール（すなわち、プラグとも呼ばれるソケットに接続するための端末）を使用してネットワーク端末装置に接続され、ネットワーク端末装置に電気エネルギーを供給する。図3aに示すように、図3aは、従来技術の接続モジュール（すなわち、プラグとも呼ばれるソケットに接続するための端末）の側面図および断面図を示している。接続モジュールは、プラグホール電極11（正極）と、摺動スプリングシート12（負極）と、絶縁外観13とを有する。電源アダプタの接続モジュールは、ネットワーク端末装置に電気エネルギーを供給するためにネットワーク端末装置のソケットに挿入される。図3bに示すように、図3bは、従来技術の接続モジュールと共に使用されるソケットの側面図および断面図を示している。ソケットは、中心電極21（正極）と、ジャックスプリングシート22（負極）と、絶縁外観23とを有する。図3cに示すように、図3cは、図3aに示す接続モジュールが図3bに示すソケットと共に使用されることを示す断面図を示している。電源アダプタとソケットを共に使用する場合、電源アダプタは電力供給機能のみを有し、通信機能を有していないことが分かる。従来技術の欠点を克服するために、本発明の設計コンセプトは以下の通りである。図3dに示すように、本発明の解決策によれば、通信モジュールが電源アダプタに組み込まれ、センタチャネル上に複合電源電極を使用することにより、電源アダプタは、ネットワーク端末装置に電力を供給しながら通信機能を実現する。
【００３０】
図4を参照すると、図4は、本発明の一実施形態による電源アダプタ400の概略構成図である。電源アダプタ400の一端は電力供給装置に接続するように構成され、電源アダプタ400の他端はネットワーク端末装置に接続するように構成されている。電源アダプタ400は、電源モジュール401と、通信モジュール402と、接続モジュール403とを含む。
【００３１】
電源モジュール401は、通信モジュール402と接続モジュール403の両方に接続され、電力供給装置から電気エネルギーを得て通信モジュール402と接続モジュール403に電力を供給するように構成されている。
【００３２】
通信モジュール402は、接続モジュール403に接続され、接続モジュール403を用いてネットワーク端末装置と通信するように構成されている。
【００３３】
接続モジュール403は、ネットワーク端末装置に接続し、通信モジュール402とネットワーク端末装置との間で信号を伝送するように構成されている。
【００３４】
本発明では、従来技術とは異なり、電源アダプタは通信モジュールを含み、通信モジュールは、接続モジュールを用いてネットワーク端末装置と通信し、電源アダプタをよりインテリジェントにすることが分かる。例えば、ユーザは、PLC端末を使用してネットワークに接続する必要なく、電源アダプタをルータに直接接続することでネットワークにアクセスすることができる。ユーザにとって、ユーザは認識していなくても効率的な通信利益を得ることができる。
【００３５】
いくつかの可能な実装形態では、通信モジュール402は、ソフトウェア制御プログラムを実行するようにさらに構成され、ソフトウェア制御プログラムは、通信モジュール402がネットワーク端末装置と通信するのを支援するために使用される。
【００３６】
いくつかの可能な実装形態では、図5aに示すように、接続モジュール403は、第1の端末グループ31と、第2の端末グループ32と、第3の端末33とを備え、
第1の端末グループ31は、ネットワーク端末装置の第1のジャックグループに接続し、通信モジュールによって送信された第1の信号をネットワーク端末装置に伝送するように構成され、第1の端末グループ31は少なくとも1つの第1の端末を備え（図5aに示すように、第1の端末は、第1の端末1、第1の端末2、．．．、第1の端末Nであり、ここでNは1より大きい整数である）、
第2の端末グループ32は、ネットワーク端末装置の第2のジャックグループに接続し、ネットワーク端末装置によって送信された第2の信号を通信モジュールに伝送するように構成され、第2の端末グループ32は少なくとも1つの第2の端末を備え（図5aに示すように、第2の端末は、第2の端末1、第2の端末2、．．．、第2の端末Nであり、ここでNは1より大きい整数である）、
第3の端末33は、ネットワーク端末装置の第3のジャックに接続し、電源モジュールの電気エネルギーをネットワーク端末装置に伝送するように構成されている。
【００３７】
なお、第1の端末、第2の端末、および第3の端末は、ピン状、シート状、または柱状であってもよく、他の形状であってもよい。本明細書では特に限定されない。
【００３８】
実際には、図5bに示すように、接続モジュールは3種類の端末を含む。第1の端末31は、通信モジュールによって送信された第1の信号をネットワーク端末装置に伝送する。少なくとも1つの第1の端末31があり、第1の端末31は、一般に、青銅／真鍮、銅チタン合金、または銀でメッキされた金属材料で作られ、低コストである。第2の端末32は、ネットワーク端末装置によって送信された第2の信号を通信モジュールに伝送する。少なくとも1つの第2の端末32があり、第2の端末32は、一般に、青銅／真鍮、銅チタン合金、または銀でメッキされた金属材料で作られ、低コストである。第3の端末33は、電源モジュールの電気エネルギーをネットワーク端末装置に伝送する。各種端末が独自の機能を実装し、信号干渉は発生しないことが分かる。さらに、第1の端末は、第2の端末が信号を受信するのと同時に信号を送信することができ、それによって信号伝送効率を効果的に改善する。なお、第1の信号および第2の信号は、主にIPパケットデータ信号であり、本明細書では特に限定されない。
【００３９】
他のいくつかの可能な実装形態では、図5cに示すように、接続モジュール403は、
第4の端末グループ41と、第5の端末42と
を備え、
第4の端末グループ41は、ネットワーク端末装置の第4のジャックグループに接続し、通信モジュールによって送信された第1の信号をネットワーク端末装置に伝送し、かつ／またはネットワーク端末装置によって送信された第2の信号を通信モジュールに伝送するように構成され、第4の端末グループは少なくとも1つの第4の端末を備え（図5cに示すように、第4の端末は、第4の端末1、第4の端末2、．．．、第4の端末Mであり、ここでMは1より大きい整数である）、
第5の端末42は、ネットワーク端末装置の第5のジャックに接続し、電源モジュールの電気エネルギーをネットワーク端末装置に伝送するように構成されている。
【００４０】
なお、第4の端末および第5の端末は、ピン状、シート状、または柱状であってもよく、他の形状であってもよい。本明細書では特に限定されない。
【００４１】
接続モジュール403には、2種類の端末が含まれることが分かる。第4の端末は、通信モジュールによって送信された第1の信号をネットワーク端末装置に伝送し、かつ／またはネットワーク端末装置によって送信された第2の信号を通信モジュールに伝送する。第5の端末は、電源モジュールの電気エネルギーをネットワーク端末装置に伝送する。第4の端末は、信号送信機能と信号受信機能の両方を有することにより、電源アダプタの空間リソースを効果的に節約することが分かる。
【００４２】
いくつかの他の可能な実装形態では、図5dに示すように、接続モジュール403は、
第6の端末51
を備え、
第6の端末51は、ネットワーク端末装置の第6のジャックに接続し、通信モジュールによって送信された第1の信号をネットワーク端末装置に伝送し、かつ／またはネットワーク端末装置によって送信された第2の信号を通信モジュールに伝送するように構成され、
第6の端末51は、電源モジュールの電気エネルギーをネットワーク端末装置に伝送するようにさらに構成されている。
【００４３】
なお、第6の端末は、ピン状、シート状、または柱状であってもよく、他の形状であってもよい。本明細書では特に限定されない。
【００４４】
接続モジュール403には、第6の端末が含まれることが分かる。第6の端末は、通信モジュールによって送信された第1の信号をネットワーク端末装置に伝送し、かつ／またはネットワーク端末装置によって送信された第2の信号を通信モジュールに伝送する。第6の端末は、電源モジュールの電気エネルギーをネットワーク端末装置に伝送するようにさらに構成される。第6の端末が複数の機能を統合することにより、電源アダプタの空間リソースを効果的に節約することが分かる。
【００４５】
図6aを参照すると、図6aは、本発明の一実施形態による電源アダプタと共に使用されるソケット600の概略構成図である。電源アダプタは、電源モジュールと、通信モジュールと、接続モジュールとを含み、電源アダプタは、ネットワーク端末装置に接続するように構成されている。ソケットはネットワーク端末装置に適用され、ソケット600は、
第1のジャックグループ61と、第2のジャックグループ62と、第3のジャック63と
を備え、
第1のジャックグループ61は、接続モジュールの第1の端末グループに接続し、通信モジュールによって送信された第1の信号をネットワーク端末装置に伝送するように構成され、第1のジャックグループ61は少なくとも1つの第1のジャックを備え（図6aに示すように、第1のジャックは、第1のジャック1、第1のジャック2、．．．、第1のジャックNであり、ここでNは1より大きい正の整数である）、第2のジャックグループ62は、接続モジュールの第2の端末グループに接続し、ネットワーク端末装置によって送信された第2の信号を通信モジュールに伝送するように構成され、第2のジャックグループ62は少なくとも1つの第2のジャックを備え（図6aに示すように、第2のジャックは、第2のジャック1、第2のジャック2、．．．、第2のジャックNであり、ここでNは1より大きい正の整数である）、第3のジャック63は、接続モジュールの第3の端末に接続し、電源モジュールの電気エネルギーをネットワーク端末装置に伝送するように構成されている。
【００４６】
実際には、図6bに示すように、ソケットには3種類のジャックが含まれていることが分かる。第1のジャック61は、通信モジュールによって送信された第1の信号をネットワーク端末装置に伝送する。少なくとも1つの第1のジャックがあり、第1のジャックは、青銅／真鍮、銅チタン合金、または銀などでメッキされた金属材料で作られ、比較的低コストである。第2のジャック62は、ネットワーク端末装置によって送信された第2の信号を通信モジュールに伝送する。少なくとも1つの第2のジャックがあり、第2のジャックは、青銅／真鍮、銅チタン合金、または銀などでメッキされた金属材料で作られ、比較的低コストである。第3のジャック63は、電源モジュールの電気エネルギーをネットワーク端末装置に伝送する。各種ジャックが独自の機能を実装し、信号干渉は発生しないことが分かる。さらに、第1のジャックは、第2のジャックが信号を受信するのと同時に信号を送信することができ、それによって信号伝送効率を効果的に改善する。なお、第1の信号および第2の信号は、主にIPパケットデータ信号であり、本明細書では特に限定されない。
【００４７】
あるいは、図6cに示すように、ソケット600は、第4のジャックグループ71と第5のジャック72とを備え、
第4のジャックグループ71は、接続モジュールの第4の端末グループ72に接続し、通信モジュールによって送信された第1の信号をネットワーク端末装置に伝送し、かつ／またはネットワーク端末装置によって送信された第2の信号を通信モジュールに伝送するように構成され、第4のジャックグループ71は少なくとも1つの第4のジャックを備え（図6cに示すように、第4のジャックは、第4のジャック1、第4のジャック2、．．．、第4のジャックMであり、ここでMは1より大きい正の整数である）、第5のジャック72は、接続モジュールの第5の端末に接続し、電源モジュールの電気エネルギーをネットワーク端末装置に伝送するように構成されている。
【００４８】
ソケットには2種類のジャックが含まれていることが分かる。第4のジャックは、通信モジュールによって送信された第1の信号をネットワーク端末装置に伝送し、かつ／またはネットワーク端末装置によって送信された第2の信号を通信モジュールに伝送する。第5のジャックは、電源モジュールの電気エネルギーをネットワーク端末装置に伝送する。第4のジャックは、信号送信機能と信号受信機能の両方を有することにより、電源アダプタの空間リソースを効果的に節約することが分かる。
【００４９】
あるいは、図6dに示すように、ソケット600は、第6のジャック81を備え、
第6のジャック81は、接続モジュールの第6の端末に接続し、通信モジュールによって送信された第1の信号をネットワーク端末装置に伝送し、かつ／またはネットワーク端末装置によって送信された第2の信号を通信モジュールに伝送するように構成され、第6のジャック81は、電源モジュールの電気エネルギーをネットワーク端末装置に伝送するようにさらに構成されている。
【００５０】
ソケットには1種類のジャックが含まれていることが分かる。第6のジャックは、通信モジュールによって送信された第1の信号をネットワーク端末装置に伝送し、かつ／またはネットワーク端末装置によって送信された第2の信号を通信モジュールに伝送する。第6のジャックは、電源モジュールの電気エネルギーをネットワーク端末装置に伝送するようにさらに構成される。第6のジャックが複数の機能を統合することにより、電源アダプタの空間リソースを効果的に節約することが分かる。
【００５１】
なお、図6a〜図6dに示した任意の種類のソケットは、ネットワークアクセス機能と電力供給の両方を実施するために、図4または図5a〜図5dに示した任意の種類の電源アダプタの接続モジュールと共に使用されるだけでなく、従来技術のいくつかの電源アダプタの接続モジュールと共に使用される。本明細書では特に限定されない。
【００５２】
図7を参照すると、図7は、電源アダプタアセンブリ700の概略構成図である。電源アダプタアセンブリ700は、電源アダプタ701およびソケット702を含み、
電源アダプタ701は、図4または図5a〜図5dのいずれかに示される電源アダプタであり、
ソケット702は、図6a〜図6dのいずれかに示されるソケットである。
【００５３】
実際には、図8に示すように、電源アダプタとソケットが共に使用され、電源アダプタは電力供給と通信の2つの機能を統合し（つまり、DC電源モジュールは電力を供給するように構成され、PCLモジュールは通信を行うように構成される）、ソケットと電源アダプタを接続して使用することにより、電源アダプタの空間リソースを効果的に節約し、電源アダプタをよりインテリジェントにする。例えば、ユーザは、PLC端末を使用してネットワークに接続する必要なく、電源アダプタをルータに直接接続することでネットワークにアクセスすることができる。ユーザにとって、ユーザは認識していなくても効率的な通信利益を得ることができる。
【００５４】
上述した実施形態では、各実施形態の説明にそれぞれ重点を置いている。一実施形態において詳細に記載されていない部分については、他の実施形態における関連説明を参照することができる。
【００５５】
前述のシステム、装置、およびユニットの詳細な作動プロセスのための、簡便な説明の目的で、前述の方法の実施形態に対応するプロセスが参照され得ることは、当業者であれば明確に理解することができ、詳細はここでは再度説明しない。
【００５６】
本出願で提供されるいくつかの実施形態では、開示されたシステム、装置、および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用することによって実現されてもよい。装置またはユニット間の間接的な結合または通信接続は、電子的に、機械的に、または他の形式で実現されてもよい。
【００５７】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに応じて選択されてもよい。
【００５８】
また、本発明の実施形態における機能ユニットは、1つの処理ユニットに統合されてもよく、または各ユニットは、単独で、物理的に存在してもよく、または2つ以上のユニットが1つのユニットに統合されてもよい。統合ユニットは、ハードウェアの形態で実装されてもよく、またはソフトウェア機能ユニットの形態で実装されてもよい。
【００５９】
統合ユニットが、ソフトウェア機能ユニットの形態で実装され、独立した製品として販売または使用される場合、統合ユニットは、コンピュータ読み取り可能な記憶媒体に格納されてもよい。このような理解に基づいて、基本的に本発明の技術的解決策、または従来技術に寄与する部分、または技術的解決策のすべてもしくは一部は、ソフトウェア製品の形態で実現されてもよい。ソフトウェア製品は、記憶媒体に格納され、本発明の実施形態に記載の方法のステップのすべてまたは一部を実行するために、コンピュータ装置（パーソナルコンピュータ、サーバ、またはネットワーク装置であってもよい）を指示するためのいくつかの命令を含む。前述の記憶媒体は：例えば、USBフラッシュドライブ、リムーバブルハードディスク、読み取り専用メモリ（ROM、Read−Only Memory）、ランダムアクセスメモリ（RAM、Random Access Memory）、磁気ディスク、または光ディスクなどの、プログラムコードを格納することができる任意の媒体を含む。
【００６０】
本発明で提供される端末、サーバ、ならびにユーザ識別システムおよび方法は、上記で詳細に説明されている。本発明の原理および実施は、本明細書中の特定の例により説明される。本発明の実施形態に関する説明は、本発明の方法および主要な考え方を理解するのを助けるために提供されているに過ぎない。さらに、当業者であれば、本発明の考え方に従った具体的な実装形態および適用範囲の観点から本発明を変形および修正することができる。したがって、本明細書の内容は本発明を限定するものと解釈されるべきではない。
【符号の説明】
【００６１】
11  プラグホール電極
12  摺動スプリングシート
13  絶縁外観
21  中心電極
22  ジャックスプリングシート
23  絶縁外観
31  第1の端末グループ、第1の端末
32  第2の端末グループ、第2の端末
33  第3の端末
41  第4の端末グループ
42  第5の端末
51  第6の端末
61  第1のジャックグループ、第1のジャック
62  第2のジャックグループ、第2のジャック
63  第3のジャック
71  第4のジャックグループ
72  第5のジャック
81  第6のジャック
200  ネットワーク端末装置
201  通信ユニット
202  入力ユニット
203  出力ユニット
204  プロセッサ
205  記憶ユニット
206  外部インタフェース
400  電源アダプタ
401  電源モジュール
402  通信モジュール
403  接続モジュール
600  ソケット
700  電源アダプタアセンブリ
701  電源アダプタ
702  ソケット
【図１】
2019501624.tif 000003
【図２】
2019501624.tif 000004
【図３ａ】
2019501624.tif 000005
【図３ｂ】
2019501624.tif 000006
【図３ｃ】
2019501624.tif 000007
【図３ｄ】
2019501624.tif 000008
【図４】
2019501624.tif 000009
【図５ａ】
2019501624.tif 000010
【図５ｂ】
2019501624.tif 000011
【図５ｃ】
2019501624.tif 000012
【図５ｄ】
2019501624.tif 000013
【図６ａ】
2019501624.tif 000014
【図６ｂ】
2019501624.tif 000015
【図６ｃ】
2019501624.tif 000016
【図６ｄ】
2019501624.tif 000017
【図７】
2019501624.tif 000018
【図８】
2019501624.tif 000019
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
電源アダプタであって、前記電源アダプタの一端が電力供給装置に接続するように構成され、前記電源アダプタの他端がネットワーク端末装置に接続するように構成され、前記電源アダプタは、
電源モジュールと、通信モジュールと、接続モジュールと
を備え、
前記電源モジュールは、前記通信モジュールと前記接続モジュールとの両方に接続され、前記電力供給装置から電気エネルギーを得て、前記通信モジュールおよび前記接続モジュールに電力を供給するように構成され、
前記通信モジュールは、前記接続モジュールに接続され、前記接続モジュールを用いて前記ネットワーク端末装置と通信するように構成され、
前記接続モジュールは、前記ネットワーク端末装置に接続し、前記通信モジュールと前記ネットワーク端末装置との間で信号を伝送するように構成される、
電源アダプタ。
【請求項２】
前記通信モジュールが、ソフトウェア制御プログラムを実行するようにさらに構成され、前記ソフトウェア制御プログラムは、前記通信モジュールが前記ネットワーク端末装置と通信するのを支援するために使用される、
請求項1に記載の電源アダプタ。
【請求項３】
前記接続モジュールが、第1の端末グループと、第2の端末グループと、第3の端末とを備え、
前記第1の端末グループは、前記ネットワーク端末装置の第1のジャックグループに接続し、前記通信モジュールによって送信された第1の信号を前記ネットワーク端末装置に伝送するように構成され、前記第1の端末グループは少なくとも1つの第1の端末を備え、
前記第2の端末グループは、前記ネットワーク端末装置の第2のジャックグループに接続し、前記ネットワーク端末装置によって送信された第2の信号を前記通信モジュールに伝送するように構成され、前記第2の端末グループは少なくとも1つの第2の端末を備え、
前記第3の端末は、前記ネットワーク端末装置の第3のジャックに接続し、前記電源モジュールの前記電気エネルギーを前記ネットワーク端末装置に伝送するように構成される、
請求項1または2に記載の電源アダプタ。
【請求項４】
前記第1の端末、前記第2の端末、および前記第3の端末が、ピン状、シート状、または柱状である、請求項3に記載の電源アダプタ。
【請求項５】
前記接続モジュールが、
第4の端末グループと、第5の端末と
を備え、
前記第4の端末グループは、前記ネットワーク端末装置の第4のジャックグループに接続し、前記通信モジュールによって送信された第1の信号を前記ネットワーク端末装置に伝送し、かつ／または前記ネットワーク端末装置によって送信された第2の信号を前記通信モジュールに伝送するように構成され、前記第4の端末グループは少なくとも1つの第4の端末を備え、
前記第5の端末は、前記ネットワーク端末装置の第5のジャックに接続し、前記電源モジュールの前記電気エネルギーを前記ネットワーク端末装置に伝送するように構成される、
請求項1または2に記載の電源アダプタ。
【請求項６】
前記第4の端末および前記第5の端末が、ピン状、シート状、または柱状である、請求項5に記載の電源アダプタ。
【請求項７】
前記接続モジュールが、
第6の端末
を備え、
前記第6の端末は、前記ネットワーク端末装置の第6のジャックに接続し、前記通信モジュールによって送信された第1の信号を前記ネットワーク端末装置に伝送し、かつ／または前記ネットワーク端末装置によって送信された第2の信号を前記通信モジュールに伝送するように構成され、
前記第6の端末は、前記電源モジュールの前記電気エネルギーを前記ネットワーク端末装置に伝送するようにさらに構成される、
請求項1または2に記載の電源アダプタ。
【請求項８】
前記第6の端末が、ピン状、シート状、または柱状である、請求項7に記載の電源アダプタ。
【請求項９】
電源アダプタと共に使用されるソケットであって、前記ソケットはネットワーク端末装置に適用され、前記電源アダプタは、電源モジュール、通信モジュール、および接続モジュールを備え、前記電源アダプタは前記ネットワーク端末装置に接続するように構成され、前記ソケットは、
第1のジャックグループと、第2のジャックグループと、第3のジャックと
を備え、
前記第1のジャックグループは、前記接続モジュールの第1の端末グループに接続し、前記通信モジュールによって送信された第1の信号を前記ネットワーク端末装置に伝送するように構成され、前記第1のジャックグループは少なくとも1つの第1のジャックを備え、前記第2のジャックグループは、前記接続モジュールの第2の端末グループに接続し、前記ネットワーク端末装置によって送信された第2の信号を前記通信モジュールに伝送するように構成され、前記第2のジャックグループは少なくとも1つの第2のジャックを備え、前記第3のジャックは、前記接続モジュールの第3の端末に接続し、前記電源モジュールの電気エネルギーを前記ネットワーク端末装置に伝送するように構成されるか、
または、前記ソケットは、第4のジャックグループと第5のジャックとを備え、
前記第4のジャックグループは、前記接続モジュールの第4の端末グループに接続し、前記通信モジュールによって送信された第1の信号を前記ネットワーク端末装置に伝送し、かつ／または前記ネットワーク端末装置によって送信された第2の信号を前記通信モジュールに伝送するように構成され、前記第4のジャックグループは少なくとも1つの第4のジャックを備え、前記第5のジャックは、前記接続モジュールの第5の端末に接続し、前記電源モジュールの電気エネルギーを前記ネットワーク端末装置に伝送するように構成されるか、
または、前記ソケットは第6のジャックを備え、
前記第6のジャックは、前記接続モジュールの第6の端末に接続し、前記通信モジュールによって送信された第1の信号を前記ネットワーク端末装置に伝送し、かつ／または前記ネットワーク端末装置によって送信された第2の信号を前記通信モジュールに伝送するように構成され、前記第6のジャックは、前記電源モジュールの電気エネルギーを前記ネットワーク端末装置に伝送するようにさらに構成される、
ソケット。
【請求項１０】
電源アダプタとソケットと
を備え、
前記電源アダプタは、請求項1から8のいずれか一項に記載の電源アダプタであり、
前記ソケットは請求項9に記載のソケットである、
電源アダプタアセンブリ。
【手続補正２】
【補正対象書類名】明細書
【補正対象項目名】００２５
【補正方法】変更
【補正の内容】
【００２５】
本発明の実施形態における技術的解決策を、本発明の実施形態における添付図面を参照して、明確に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【手続補正３】
【補正対象書類名】明細書
【補正対象項目名】００２７
【補正方法】変更
【補正の内容】
【００２７】
本発明の電源アダプタは、任意のネットワーク端末装置に適用される。図2に示すように、ネットワーク端末装置200は、通信ユニット201と、入力ユニット202と、出力ユニット203と、プロセッサ204と、記憶ユニット205と、外部インタフェース206とを備える。ユニットは、1つまたは複数のバスを使用して相互に接続されている。通信ユニット201は、通信チャネルを確立するように構成されており、ネットワーク端末装置は、通信チャネルを用いて、遠隔電子装置やサーバと音声通信、テキスト通信、データ通信等を行う。入力ユニット202は、ユーザとネットワーク端末装置との間のインタラクションを実施し、かつ／または端末装置への情報を入力するように構成されている。プロセッサ204は、ネットワーク端末装置の制御センタであり、端末装置全体のすべての部分に接続するために、様々なインタフェースおよび回線を使用する。プロセッサ204は、記憶ユニットに格納されたソフトウェアプログラムおよび／またはモジュールを実行し、記憶ユニットに格納されたデータを呼び出すことによって、端末装置の機能および／またはデータ処理を実施する。出力ユニット203は、プロセッサによって出力されたオーディオ信号をデジタルフォーマットからアナログフォーマットに変換するように構成された音声出力ユニットを含むが、これに限定されない。記憶ユニット205は、ソフトウェアプログラムおよびモジュールを格納するように構成されていてもよい。外部インタフェース206は、遠隔電子装置またはサーバに接続するように構成されている。
【手続補正４】
【補正対象書類名】明細書
【補正対象項目名】００６０
【補正方法】変更
【補正の内容】
【００６０】
本発明で提供される電源アダプタ、ソケット、ならびにアセンブリは、上記で詳細に説明されている。本発明の原理および実施は、本明細書中の特定の例により説明される。本発明の実施形態に関する説明は、本発明の方法および主要な考え方を理解するのを助けるために提供されているに過ぎない。さらに、当業者であれば、本発明の考え方に従った具体的な実装形態および適用範囲の観点から本発明を変形および修正することができる。したがって、本明細書の内容は本発明を限定するものと解釈されるべきではない。
【国際調査報告】
2019501624.tif 000020
2019501624.tif 000021
2019501624.tif 000022
2019501624.tif 000023